(57)【要約】【課題】構成を簡単にするとともに、作業者がエレベーターロープにおける素線破断部を容易に見つけることができるエレベーターロープ素線破断検出装置を得る。【解決手段】エレベーターロープ２が内側を通る保持部６１と、保持部６１におけるエレベーターロープ２に対向する面である対向面６１３に設けられ、エレベーターロープ２の素線における断線が生じた部分である素線破断部が保持部６１を通る場合に対向面６１３から外れて素線破断部に付着する検出糸６２とを備えている。【選択図】図２
2018197141.tif 000002
【特許請求の範囲】
【請求項１】
エレベーターロープが内側を通る保持部と、
前記保持部における前記エレベーターロープに対向する面である対向面に設けられ、前記エレベーターロープの素線における断線が生じた部分である素線破断部が前記保持部を通る場合に前記対向面から外れて前記素線破断部に付着する検出糸と
を備えたエレベーターロープ素線破断検出装置。
【請求項２】
前記保持部は、前記検出糸が設けられ弾性変形可能なインナーシートと、前記インナーシートが前記エレベーターロープの周囲を覆うように前記インナーシートを保持するアウター部とを有し、
前記アウター部は、前記エレベーターロープの径方向寸法に対応して前記インナーシートの形状が変化するように前記インナーシートを保持する請求項１に記載のエレベーターロープ素線破断検出装置。
【請求項３】
前記保持部に設けられ、前記エレベーターロープに対して前記保持部を下方に移動させるためのバンド部をさらに備えた請求項１または請求項２に記載のエレベーターロープ素線破断検出装置。
【請求項４】
前記バンド部は、前記検出糸が前記対向面から外れる場合に長手方向に伸長可能となっている請求項３に記載のエレベーターロープ素線破断検出装置。
【請求項５】
前記バンド部は、予め設定された値を超える張力が前記バンド部に作用する場合に、前記保持部から外れるようになっている請求項３または請求項４に記載のエレベーターロープ素線破断検出装置。
【請求項６】
前記バンド部は、予め設定された値を超える張力が前記バンド部に作用する場合に、破断するようになっている請求項３または請求項４に記載のエレベーターロープ素線破断検出装置。
【発明の詳細な説明】
【技術分野】
【０００１】
この発明は、エレベーターロープを点検する際に用いられるエレベーターロープ素線破断検出装置に関する。
【背景技術】
【０００２】
従来、エレベーターロープの破断を検出する破断検出器と、破断検出器によるエレベーターロープの破断の検出に連動してエレベーターロープの破断箇所にマーキングするマーキング器とを備えたエレベーターロープ素線破断検出装置が知られている（例えば、特許文献１参照）。
【先行技術文献】
【特許文献】
【０００３】
【特許文献１】特開２０１０−３０７６５号公報
【発明の概要】
【発明が解決しようとする課題】
【０００４】
しかしながら、破断検出器とマーキング器とを備えているので、構成が複雑であるという問題点があった。
【０００５】
この発明は、上述のような課題を解決するためになされたものであり、その目的は、構成を簡単にするとともに、作業者がエレベーターロープにおける素線破断部を容易に見つけることができるエレベーターロープ素線破断検出装置を提供するものである。
【課題を解決するための手段】
【０００６】
この発明に係るエレベーターロープ素線破断検出装置は、エレベーターロープが内側を通る保持部と、保持部におけるエレベーターロープに対向する面である対向面に設けられ、エレベーターロープの素線における断線が生じた部分である素線破断部が保持部を通る場合に対向面から外れて素線破断部に付着する検出糸とを備えている。
【発明の効果】
【０００７】
この発明に係るエレベーターロープ素線破断検出装置によれば、エレベーターロープが内側を通る保持部と、保持部におけるエレベーターロープに対向する面である対向面に設けられ、エレベーターロープの素線における断線が生じた部分である素線破断部が保持部を通る場合に対向面から外れて素線破断部に付着する検出糸とを備えているので、構成を簡単にするとともに、作業者がエレベーターロープにおける素線破断部を容易に見つけることができる。
【図面の簡単な説明】
【０００８】
【図１】この発明の実施の形態１に係るエレベーターロープ素線破断検出装置が用いられるエレベーターを示す構成図である。
【図２】図１のエレベーターロープの素線破断部を検出するエレベーターロープ素線破断検出装置を示す分解斜視図である。
【図３】図２のエレベーターロープ素線破断検出装置の要部を示す拡大図である。
【図４】図２のエレベーターロープ素線破断検出装置がエレベーターロープに取り付けられた状態を示す平面図である。
【図５】図２のエレベーターロープ素線破断検出装置を用いてエレベーターロープを点検する手順を説明する図である。
【図６】図５のエレベーターロープ素線破断検出装置を示す拡大斜視図である。
【発明を実施するための形態】
【０００９】
実施の形態１．
図１はこの発明の実施の形態１に係るエレベーターロープ素線破断検出装置が用いられるエレベーターを示す構成図である。図において、エレベーターは、昇降路１００を昇降するかご１と、一端部がかご１に接続されたエレベーターロープ２と、エレベーターロープ２の他端部に接続され、昇降路１００を昇降するつり合いおもり３と、機械室２００に設けられ、エレベーターロープ２を移動させる巻上機４と、機械室２００に設けられ、エレベーターロープ２が巻き掛けられたそらせ車５とを備えている。
【００１０】
巻上機４が駆動することによって、エレベーターロープ２が移動する。エレベーターロープ２が移動することによって、かご１およびつり合いおもり３は、互いに反対方向に昇降路１００を昇降する。
【００１１】
エレベーターロープ２を構成する素線には、エレベーターロープ２が長期間に渡って移動することによって、破断が生じる。この例では、エレベーターロープにおける素線の破断が生じた部分を素線破断部とする。
【００１２】
図２は図１のエレベーターロープ２の素線破断部を検出するエレベーターロープ素線破断検出装置を示す分解斜視図、図３は図２のエレベーターロープ素線破断検出装置の要部を示す拡大図、図４は図２のエレベーターロープ素線破断検出装置がエレベーターロープに取り付けられた状態を示す平面図である。エレベーターロープ素線破断検出装置６は、エレベーターロープ２が内側を通る保持部６１と、保持部６１に設けられた複数の検出糸６２と、保持部６１に設けられ、作業者に把持されるバンド部６３とを備えている。
【００１３】
保持部６１は、検出糸６２が一方の面に設けられ弾性変形可能なインナーシート６１１と、インナーシート６１１がエレベーターロープ２の周囲を覆うようにインナーシート６１１を保持するアウター部６１２とを有している。
【００１４】
インナーシート６１１は、例えば、クッション材から構成されている。インナーシート６１１には、エレベーターロープ２に対してインナーシート６１１をスライドさせる方向を示すスライド方向表示が設けられている。インナーシート６１１におけるスライド方向表示が設けられる面は、インナーシート６１１におけるエレベーターロープ２に対向する面である対向面６１３とは反対側の面となっている。スライド方向表示は、検出糸６２の配置とエレベーターロープ２に対するインナーシート６１１の移動方向との関係を予め設定された関係にするためのものである。
【００１５】
検出糸６２は、対向面６１３に設けられている。検出糸６２は、赤色に着色されている。なお、検出糸６２は、赤色に限らず、その他の色に着色されてもよい。検出糸６２は、逆Ｕ字形状に配置されている。つまり、検出糸６２は、Ｕ字形状に形成され、かつ、湾曲部が両端部よりも上側に配置されている。検出糸６２は素線破断部が保持部６１の内側を通る場合に対向面６１３から外れて素線破断部に付着するようになっている。
【００１６】
アウター部６１２は、エレベーターロープ２の径方向寸法に対応してインナーシート６１１の形状が変化するようにインナーシート６１１を保持する。アウター部６１２は、インナーシート６１１を覆うアウター部本体６１４と、アウター部本体６１４に設けられ、アウター部本体６１４の長手方向両端部を接続するホースバンド部６１５とを有している。アウター部本体６１４は、例えば、湾曲変形可能な鉄板材から構成されている。
【００１７】
ホースバンド部６１５は、アウター部本体６１４における長手方向一端部に設けられたねじ部６１６と、アウター部本体６１４における長手方向他端部に設けられ、ねじ部６１６に係合される係合バンド部６１７とを有している。
【００１８】
一対のねじ部６１６および係合バンド部６１７は、高さ方向に離れて設けられている。ねじ部６１６が係合バンド部６１７に係合した状態でねじ部６１６が回転することによって、アウター部６１２の径方向寸法が変化する。これにより、インナーシート６１１の径方向寸法が変化する。
【００１９】
なお、図示していないが、アウター部本体６１４には、アウター部６１２の径方向寸法を示す目盛りが設けられている。エレベーターロープ２の径方向寸法に対応してアウター部６１２の径方向寸法を調整することによって、アウター部６１２によるインナーシート６１１のエレベーターロープ２への締付力を予め設定された値に調整することができる。
【００２０】
バンド部６３は、エレベーターロープ２に対して保持部６１を下方に移動させるためのものである。バンド部６３は、保持部６１に取り付けられるリング形状の取付部６３１と、長手方向一端部が取付部６３１に接続されたバンド部本体６３２と、バンド部本体６３２の長手方向他端部に接続され、作業者の指に引っ掛けられる貫通孔が形成された取手部６３３とを有している。取手部６３３に形成された貫通孔の径方向寸法は、作業者の指が通る程度の寸法となっている。
【００２１】
バンド部本体６３２は、例えば、長手方向に伸縮可能なゴム材から構成されている。これにより、バンド部本体６３２は、検出糸６２が対向面６１３から外れる場合に長手方向に伸長可能となっている。
【００２２】
次に、エレベーターロープ素線破断検出装置を用いてエレベーターロープを点検する手順について説明する。図５は図２のエレベーターロープ素線破断検出装置６を用いてエレベーターロープを点検する手順を説明する図、図６は図５のエレベーターロープ素線破断検出装置６を示す拡大斜視図である。まず、かご１を最上階に停止させ、かご１の上に作業者３００が立ち、エレベーターロープ２におけるそらせ車５の直下の部分にエレベーターロープ素線破断検出装置６を取り付ける。このとき、複数のエレベーターロープ２のそれぞれに対してエレベーターロープ素線破断検出装置６を１つずつ取り付ける。
【００２３】
その後、作業者３００は、取手部６３３の貫通孔に指を挿入してバンド部６３を把持し、かご１を低速で下降運転する。かご１の下降運転中にエレベーターロープ素線破断検出装置６がエレベーターロープにおける素線破断部を通過する場合には、検出糸６２が保持部６１における対向面６１３から外れて、素線破断部に付着する。このとき、作業者３００の指には、検出糸６２が対向面６１３から外れるときの衝撃が伝わる。これにより、作業者３００には、エレベーターロープ素線破断検出装置６が素線破断部を通ることを知らせることができる。
【００２４】
かご１がつり合いおもり３と同じ高さまで下降した場合に、かご１の下降運転を停止させ、エレベーターロープ２の点検が終了する。
【００２５】
以上説明したように、この発明の実施の形態１に係るエレベーターロープ素線破断検出装置６によれば、エレベーターロープ２が内側を通る保持部６１と、保持部６１における対向面６１３に設けられ、素線破断部が保持部６１を通る場合に対向面６１３から外れて素線破断部に付着する検出糸６２とを備えているので、構成を簡単にするとともに、作業者３００がエレベーターロープ２における素線破断部を容易に見つけることができる。また、エレベーターロープ２に複数の素線破断部が形成されている場合に、それぞれの素線破断部に検出糸６２が付着するので、作業者３００は、素線破断部の形成箇所数を容易に知ることができ、素線破断部の形成箇所数に対応して、エレベーターロープ２の取替などの作業を行うことができる。
【００２６】
また、保持部６１は、検出糸６２が設けられ弾性変形可能なインナーシート６１１と、インナーシート６１１がエレベーターロープ２の周囲を覆うようにインナーシート６１１を保持するアウター部６１２とを有し、アウター部６１２は、エレベーターロープ２の径方向寸法に対応してインナーシート６１１の形状が変化するようにインナーシート６１１を保持するので、異なる径方向寸法の複数種類のエレベーターロープ２に対して、同一のエレベーターロープ素線破断検出装置６を用いることができる。
【００２７】
また、このエレベーターロープ素線破断検出装置６は、保持部６１に設けられ、エレベーターロープ２に対して保持部６１を下方に移動させるためのバンド部６３をさらに備えているので、エレベーターロープ素線破断検出装置６をエレベーターロープ２に対して容易に下方に移動させることができる。
【００２８】
また、バンド部６３は、検出糸６２が対向面６１３から外れる場合に長手方向に伸長可能となっているので、作業者３００がバンド部６３を把持し、検出糸６２が対向面６１３から外れた場合に、作業者３００に伝わる衝撃を弱めることができる。
【００２９】
なお、上記実施の形態１では、保持部６１に取り付けられるリング形状の取付部６３１と、長手方向一端部が取付部６３１に接続されたバンド部本体６３２と、バンド部本体６３２の長手方向他端部に接続され、作業者３００の指に引っ掛けられる貫通孔が形成された取手部６３３とを有しているバンド部６３の構成について説明したが、バンド部６３は、予め設定された値を超える張力がバンド部６３に作用する場合に、保持部６１からバンド部６３が外れるようになっている構成であってもよい。また、バンド部６３は、予め設定された値を超える張力がバンド部６３に作用する場合に、バンド部６３、例えば、バンド部本体６３２が破断するようになっている構成であってもよい。また、エレベーターロープ素線破断検出装置６は、保持部６１からバンド部６３が外れること検出し、または、バンド部６３が破断することを検出する検出装置をさらに備え、検出装置の検出結果がエレベーター制御盤に入力される構成であってもよい。これにより、予め設定された値を超える張力がバンド部６３に作用する場合に、かご１の移動を停止させることができる。
【００３０】
また、上記実施の形態１では、インナーシート６１１にスライド方向表示が設けられている構成について説明したが、これに限らず、例えば、インナーシート６１１の下端部に径方向外側へ突出する返し部が設けられる構成であってもよい。この返し部は、アウター部６１２よりも下方に配置され、アウター部６１２が下方に移動する場合に、アウター部６１２によってインナーシート６１１が下方に移動するためのものである。これにより、インナーシート６１１を取り付ける際の上下方向の間違えの発生を防止することができる。この返し部は、エレベーターロープ２に対するインナーシート６１１の移動方向についてインナーシート６１１における前方側の部分に配置される。
【００３１】
また、上記実施の形態１では、エレベーターロープ素線破断検出装置６をエレベーターロープ２に対して下方に移動させる構成について説明したが、エレベーターロープ素線破断検出装置６をエレベーターロープ２に対して上方に移動させる構成であってもよい。この場合、インナーシート６１１に設けられたスライド方向表示は上下が逆となり、また、検出糸６２は、湾曲部が両端部よりも下側に配置される。
【００３２】
また、上記実施の形態１では、インナーシート６１１がクッション材である構成について説明したが、インナーシート６１１がエレベーターロープ２の表面にある油を吸収する材料から構成されてもよい。これにより、エレベーターロープ２の素線破断部を検出するとともに、エレベーターロープ２の清掃も行うことができる。
【００３３】
また、上記実施の形態１では、素線破断部が保持部６１を通る場合に検出糸６２が対向面６１３から外れて素線破断部に付着する構成について説明したが、検出糸６２が対向面６１３から外れるときに発生する音を検出する音検出装置と、音検出装置の検出結果に基づいて、作業者３００に検出糸６２が対向面６１３から外れたことを知らせる報知装置とをさらに備えた構成であってもよい。これにより、エレベーターロープ素線破断検出装置６が素線破断部を検出したことを作業者３００により確実に知らせることができる。報知装置としては、検出糸６２が対向面６１３から外れたことをアナウンスするスピーカー装置、検出糸６２が対向面６１３から外れたことを表示する表示装置などが挙げられる。
【００３４】
また、上記実施の形態１では、作業者３００がバンド部６３を把持する構成について説明したが、これに限らず、例えば、かご１の上部に設けられた手摺にバンド部６３が接続される構成であってもよい。
【符号の説明】
【００３５】
１  かご、２  エレベーターロープ、３  つり合いおもり、４  巻上機、５  そらせ車、６  エレベーターロープ素線破断検出装置、６１  保持部、６２  検出糸、６３  バンド部、１００  昇降路、２００  機械室、３００  作業者、６１１  インナーシート、６１２  アウター部、６１３  対向面、６１４  アウター部本体、６１５  ホースバンド部、６１６  ねじ部、６１７  係合バンド部、６３１  取付部、６３２  バンド部本体、６３３  取手部。
【図１】
2018197141.tif 000003
【図２】
2018197141.tif 000004
【図３】
2018197141.tif 000005
【図４】
2018197141.tif 000006
【図５】
2018197141.tif 000007
【図６】
2018197141.tif 000008